(57)【要約】  マウスピース（３）を覆ったり覆いを取ったりするために閉位置と開位置との間を移動することができるクロージャ（５）を備える吸入器（７０）を提供する。クロージャ（５）は、制限部材（７）を含む回転可能要素（６）と連動する。開位置から閉位置までのクロージャ（５）の移動により、回転可能要素（６）が軸Ｘを中心に回転し、それにより、制限部材（７）が、容器ユニット（１４）とハウジング（１）との間の相対的な移動を制限する制限位置に配置され、吸入器の意図しない作動を防止する。吸入器は、例えば、喘息の治療に有用である。2009507540.tif 000003
2009507540.tif 000002
【特許請求の範囲】
【請求項１】
投与される薬剤調製物を含む容器ユニットと共に使用される吸入器であって、
前記容器ユニット用のハウジングであって、その中を前記容器ユニットが前記ハウジングに向かって相対的に移動することができ、前記容器ユニットからユーザによる吸入のためのある投与量の前記薬剤調製物の投与が前記吸入器の投与出口を通して行われるハウジングと、
前記投与出口を閉鎖する閉位置と前記投与出口が開く開位置との間で移動することができるクロージャと、
制限部材を有する回転可能要素であって、使用時において前記回転可能要素が、前記投与量の前記薬剤調製物の投与ための前記容器ユニットと前記ハウジングとの間の相対的な移動を制限しない非制限位置に前記制限部材を位置させる第１の位置と、前記投与量の前記薬剤調製物の投与が防止されるように前記容器ユニットと前記ハウジングとの間の相対的な移動を制限する制限位置に前記制限部材を位置させる第２の位置との間で軸を中心に回転可能である回転可能要素と
を含み、
前記クロージャが前記回転可能要素と連動しており、前記クロージャの閉位置から開位置への移動により前記回転可能要素が前記制限部材を前記制限位置から前記非制限位置まで移動させ、かつ、その逆の動作もさせる
吸入器。
【請求項２】
前記回転可能要素が、固定軸を中心に回転する、請求項１に記載の吸入器。
【請求項３】
前記回転可能要素の前記固定軸が、前記吸入器のハウジングを通っている、請求項２に記載の吸入器。
【請求項４】
前記クロージャが前記開位置から前記閉位置まで移動する間に、前記容器ユニットが、前記投与量の前記薬剤調製物の投与を防止するために前記ハウジングに対しての相対的な移動を要求しないことを特徴とする、前記請求項のいずれか一項に記載の吸入器。
【請求項５】
前記制限部材が制限表面を有し、前記開位置から前記閉位置までの前記クロージャの移動により、前記回転可能要素を前記第１の位置から前記第２の位置まで回転させ、それにより前記制限部材をその制限位置まで移動させて、前記制限位置では、前記制限表面が前記ハウジングと前記容器ユニットとの間の相対的な移動を制限する、前記請求項のいずれか一項に記載の吸入器。
【請求項６】
前記制限表面が、湾曲した表面である、請求項５に記載の吸入器。
【請求項７】
前記湾曲した表面が、前記軸を中心に一定の半径を有する、請求項６に記載の吸入器。
【請求項８】
前記回転可能要素が、前記軸に取り付けられた略半円状の部分を含み、その周囲表面が前記制限表面を形成する、請求項５、６または７に記載の吸入器。
【請求項９】
前記回転可能要素が中心として回転可能である前記軸が、前記回転可能要素を通っている、前記請求項のいずれか一項に記載の吸入器。
【請求項１０】
前記回転可能要素が略「Ｐ」形である、前記請求項のいずれか一項に記載の吸入器。
【請求項１１】
前記回転可能要素が中心として回転可能である前記軸が、前記「Ｐ」形の前記半円形部分を通っている、請求項１０に記載の吸入器。
【請求項１２】
前記「Ｐ」形の前記半円形表面が、前記制限部材の前記制限表面を形成する、請求項５に従属する場合の請求項１０または１１に記載の吸入器。
【請求項１３】
前記クロージャが前記開位置にあるとき、前記クロージャが前記回転可能要素を覆うことが可能となっている、前記請求項のいずれか一項に記載の吸入器。
【請求項１４】
前記クロージャがその開位置にあるとき、前記回転可能要素が前記クロージャの内側に配置可能となっている、請求項１３に記載の吸入器。
【請求項１５】
前記回転可能要素および前記クロージャが、選択的に一体に形成される単一の構成要素に含まれる、前記請求項のいずれか一項に記載の吸入器。
【請求項１６】
ヒンジが、前記回転可能要素と前記クロージャとの間に配置される、前記請求項のいずれか一項に記載の吸入器。
【請求項１７】
前記クロージャが前記開位置にあるとき、前記クロージャが開放可能に前記ハウジングに固定されるように構成される、前記請求項のいずれか一項に記載の吸入器。
【請求項１８】
前記クロージャが、前記ハウジングに固定されたときに前記吸入器用のベースを形成するように構成される、請求項１７に記載の吸入器。
【請求項１９】
前記ベースが、前記吸入器用のスタンドを形成するように構成される、請求項１８に記載の吸入器。
【請求項２０】
前記吸入器が呼吸作動吸入器でないことを条件とする、前記請求項のいずれか一項に記載の吸入器。
【請求項２１】
前記吸入器が手動呼吸調整吸入器である、前記請求項のいずれか一項に記載の吸入器。
【請求項２２】
前記吸入器がｐＭＤＩである、前記請求項のいずれか一項に記載の吸入器。
【請求項２３】
前記容器ユニットが、加圧式容器ユニットである、前記請求項のいずれか一項に記載の吸入器。
【請求項２４】
前記容器ユニットが、前記薬剤調製物を含む容器を含む、前記請求項のいずれか一項に記載の吸入器。
【請求項２５】
アクセサリが、前記容器に取り付けられる、請求項２４に記載の吸入器。
【請求項２６】
前記アクセサリが、前記容器の先端部に取り付けられる、請求項２５に記載の吸入器。
【請求項２７】
前記容器が、加圧式容器である、請求項２４、２５または２６に記載の吸入器。
【請求項２８】
前記回転可能要素が制限部材から構成される、前記請求項のいずれか一項に記載の吸入器。
【請求項２９】
前記吸入器は、前記クロージャが前記閉位置にあるとき、前記制限部材が前記容器ユニットに当接するように配置されて、それにより、ある投与量の前記薬剤調製物の投与を防止するように、前記容器ユニットの前記ハウジングに対する相対的な移動を制限し、
かつ、前記クロージャが前記開位置にあるとき、前記制限部材が前記容器ユニットに当接しないように配置されて、それにより、前記容器ユニットが前記ハウジングに対して移動することが可能になり、ある投与量の前記薬剤調製物の投与が可能となるように構成される、前記請求項のいずれか一項に記載の吸入器。
【請求項３０】
前記クロージャが前記閉位置にあるときに、前記容器ユニットに当接させるべく、前記制限部材の前記制限表面を配置するように構成される、請求項５から８および１２のいずれか一項に従属する場合の請求項２９に記載の吸入器。
【請求項３１】
前記制限部材が、前記クロージャが前記閉位置にあるときに、前記容器ユニットの前記アクセサリに当接するように構成される、請求項３０または３１に記載の吸入器。
【請求項３２】
前記ハウジング内に前記容器ユニットを含む、前記請求項のいずれか一項に記載の吸入器。
【請求項３３】
薬剤調製物を含む容器ユニットを中に受けるためのハウジングを含み、前記容器ユニットが相対的に移動することができ、それによりユーザによる吸入のためにある投与量の前記薬剤調製物が前記容器ユニットから前記吸入器の投与出口を通じて投与される吸入器と共に使用するためのクロージャであって、
前記クロージャが、前記クロージャが前記投与出口を閉鎖する閉位置と前記投与出口が開いている開位置との間を移動するために吸入器に移動可能に取り付けられるように構成され、
前記クロージャが、制限部材を含む回転可能要素を含み、前記回転可能要素が前記クロージャのその閉位置と開位置との間での移動の軸を中心に回転するように構成され、前記回転可能要素が、前記クロージャがその開位置および閉位置にあるときにそれぞれ第１の位置および第２の位置に配置され、
前記第１の位置が、前記投与量の前記薬剤調製物の投与のための前記容器ユニットと前記ハウジングとの間の相対的な移動を制限しない非制限位置に制限部材を位置させて、前記第２の位置が、前記投与量の前記薬剤調製物の投与が防止されるようにするために前記容器ユニットと前記ハウジングとの間の相対的な移動を制限する制限位置に前記制限部材を位置させる、
クロージャ。
【請求項３４】
前記クロージャが、前記投与出口を閉鎖するクロージャ部分を有する、請求項３３に記載のクロージャ。
【請求項３５】
ヒンジが、前記回転可能要素と前記クロージャ部分との間に配置される、請求項３４に記載のクロージャ。
【請求項３６】
前記ヒンジが、前記回転可能要素が前記クロージャ部分内に配置されるのを可能にする、請求項３５に記載のクロージャ。
【請求項３７】
前記制限部材が、制限表面を有し、前記開位置から前記閉位置までのクロージャの移動により、前記回転可能要素を前記第１の位置から前記第２の位置まで回転させ、それにより、前記制限部材をその制限位置まで移動させて、前記制限位置では、前記制限表面が前記ハウジングと前記容器ユニットとの間での相対的な移動を制限する、請求項３３から３６のいずれか一項に記載のクロージャ。
【請求項３８】
前記回転可能要素が中心として回転可能である前記軸が、前記回転可能要素を通っている、請求項３３から３７のいずれか一項に記載のクロージャ。
【請求項３９】
前記回転可能要素が、略「Ｐ」形である、請求項３３から３８のいずれか一項に記載のクロージャ。
【請求項４０】
前記回転可能要素が、中心として回転可能である前記軸が、前記「Ｐ」形の半円形部分を通っている、請求項３９に記載のクロージャ。
【請求項４１】
前記「Ｐ」形の前記半円形表面が、前記制限部材の前記制限表面を形成する、請求項３７に従属した場合の請求項３９または４０に記載のクロージャ。
【請求項４２】
前記回転可能要素および前記クロージャ部分が、任意選択で一体に形成される単一の構成要素に含まれる、請求項３３から４１のいずれか一項に記載のクロージャ。
【請求項４３】
前記回転可能要素が、回転の中心となる吸入器の軸に取り付けるための取付け部を有する、前記請求項のいずれか一項に記載のクロージャ。
【請求項４４】
添付図面の図１から６、図７から１３、または、図１４から２０を参照して本明細書で実質的に説明され、これらの図面に示されている、投与される薬剤調製物を含む容器ユニットと共に使用するための吸入器。
【請求項４５】
添付図面の図１から６、図７から１３、または、図１４から２０を参照して本明細書で実質的に説明され、これらの図面に示されている、吸入器と共に使用するためのクロージャ。
【発明の詳細な説明】
【技術分野】
【０００１】
本出願は、参照により全体として本明細書に組み込まれる、２００５年９月８日に出願された英国特許出願第０５１８３５５．３号の優先権を主張する。
【０００２】
本発明は、投与される薬剤調製物を含む容器ユニットと共に使用するための吸入器に関する。これに限定されるわけではないが、特に本発明に関連する吸入器の一例は、加圧式噴霧式吸入器（以下、「ｐＭＤＩ」と称す）である。
【背景技術】
【０００３】
ｐＭＤＩは、吸入装置の分野でよく知られている。したがって、必須の場合を除いてｐＭＤＩの構成および動作について説明する必要はない。
【０００４】
ｐＭＤＩは、キャニスタユニットおよびハウジングを含む。ハウジングは、本質的なことではないが、全体に管状であり、また、全体に、例えば成形によってプラスチック材料から形成される。キャニスタユニットは、通常、アルミニウムなどの金属から作られた、端部が開放されたキャニスタを備える。キャニスタの開放端は、密封するように計量バルブアセンブリで蓋がされる。バルブアセンブリは、キャニスタの出口または先端部（ｂｕｓｉｎｅｓｓ  ｅｎｄ）から突き出した中空の投与部材またはバルブステムを含む。投与部材は、バルブアセンブリ中でバイアス機構によりバイアスされる伸び位置と押圧された位置との間で、キャニスタに対して摺動運動をするように載置される。
【０００５】
使用時には、シールされたキャニスタは、加圧式薬用エアロゾル調製物を含む。調製物は、薬剤および流体噴射剤を含み、また任意選択で１つまたは複数の付形剤および／または補助剤を含む。調製物中で、薬剤は、通常、溶液または懸濁液中にある。その噴射剤は、通常、ＣＦＣを使用しておらず、適切には、液体噴射剤であり、また例えば、ＨＦＡ−１３４ａまたはＨＦＡ−２２７とすることができる。
【０００６】
伸び位置から押圧された位置に投与部材を移動させることにより、計量された投与量のエアロゾル調製物が、投与部材を介してキャニスタから投与される。通常、計量バルブアセンブリは、定義された容積の計量チャンバを備える。投与部材の伸び位置では、キャニスタの内容物は、投与部材を介して計量チャンバと流体連通されており、したがって、計量チャンバはエアロゾル調製物で充填される。投与部材が押圧されると、計量チャンバは、キャニスタの内部容積から隔離され、投与部材を介して外部環境と流体連通される。したがって、計量チャンバ中のエアロゾル調製物の定義された容積は、投与部材を介して外部環境に放出される。
【０００７】
このような計量バルブアセンブリは、当技術分野でよく知られており、特に、ベスパックパブリック（Ｂｅｓｐａｋ  Ｐｌｃ）（英国、ノーフォーク州、キングスリン）、およびバロア（Ｖａｌｏｉｓ）Ｓ．Ａ．Ｓ．（フランス、Ｌｅ  Ｎｅｕｂｏｕｒｇ）から入手することができる。
【０００８】
ハウジングは、開放端を有する内部通路を備える。キャニスタユニットは、その開放端を通って内部通路中に摺動可能であり、キャニスタユニットはバルブアセンブリを先頭にして内部通路中に挿入される。キャニスタユニットがハウジング中で「停止位置」に受け入れられたとき、キャニスタの投与部材を受け入れるためのステムブロックは、投与部材を受け入れるための入口端部と、ハウジングの投与出口、すなわち、通常、マウスピースまたは鼻ノズルに面する出口端部との通路を有する。ステムブロックは投与部材を安定に保持し、その停止位置から「作動位置」まで、キャニスタユニットをさらにハウジング中に押圧することにより、キャニスタに対して投与部材を伸び位置から押圧された位置に変位させることができる。計量された投与量のエアロゾル調製物は、それにより、ステムブロックの内部通路を介してハウジングの投与出口の外に投与されることになる。
【０００９】
使用時には、計量された投与量の薬用エアロゾル調製物を必要とする患者は、同時に、投与出口に対して吸入し、かつキャニスタユニットを停止位置から作動位置に押圧する。患者により生成された吸入空気流は、計量された投与量の薬用エアロゾル調製物を患者の気道中に流入させる。これは、当技術分野において「呼吸調整」吸入器として知られているが、というのは、患者が吸入器の作動により吸入を調整する必要があるからである。
【００１０】
吸入器は、普通、吸入器が使用されないとき、投与出口を覆う防塵キャップを備える。防塵キャップは、装着されると異物がハウジングに入るのを阻止する。こうすることにより、さもないとハウジング中に蓄積する可能性のある、例えば、塵または綿ほこりをユーザが吸い込まないようにする。それは、ユーザが異物の吸入により重大な刺激を引き起こす可能性のある喘息、または他の呼吸条件を患っている場合は特に重要である。
【００１１】
ｐＭＤＩに対する開発には、作動インジケータまたはそのための投与量カウンタの提供が含まれている。このような投与量カウンタは、グラクソグループリミテッド（Ｇｌａｘｏ  Ｇｒｏｕｐ  Ｌｉｍｉｔｅｄ）による米国特許第６，４３１，１６８号に対応するＰＣＴ特許出願番号ＷＯ−Ａ−９８５６４４４およびＵＳ−Ａ−２００６／００９６５９４に対応するＷＯ−Ａ−２００４／００１６６４に記載され、それらすべては参照により本明細書に組み込まれる。ｐＭＤＩキャニスタユニットは、投与量カウンタを備えることができ、それは、キャニスタのバルブアセンブリ端部上に固定可能に保持することができ、またキャニスタから投与された、またはその中に残っている薬剤調製物の計量された投与量の数を示す表示を含む。投与量カウンタの表示は、ハウジング中に設けられた窓を通して患者が見ることができる。表示は、共通の車軸に回転可能に載置された複数のインジケータホイールにより示すことができ、各ホイールが、円周の周りで一連に表示される「０」から「９」までの数字を有する。
【００１２】
しかし、ｐＭＤＩ装置は、特に、輸送中、例えば、製造者と配給業者の間の輸送中に意図しない作動を受けやすい。このような輸送中に、かかる装置およびそのパッケージングは、しばしば、衝撃および突発的な運動を受けることがある。このような力はｐＭＤＩを作動させることが可能であり、調製物の投与量を投与させることになる。ｐＭＤＩが投与量カウンタを含む場合、輸送中の粗雑な扱いにより、カウンタでユーザに表示される数値を増加または減少させ、したがって、ｐＭＤＩで投与された、またはその中に残っている投与量の数に一貫性がなくなる。望ましくない投与量の薬剤を投与することは無駄であり、投与量カウンタが、実際に存在するよりも多くの投与量がキャニスタ中に残っていることをユーザに示すことは非常に危険になる可能性がある。
【００１３】
このｐＭＤＩ装置の意図しない作動の問題に対処する方法は、以前から論じられてきた。グラクソグループリミテッド名義のＷＯ−Ａ−０５８７２９９が、吸入器の意図しない作動を防止するための制限部材を備えるｐＭＤＩを説明している。本明細書で説明する制限部材は、吸入器のクロージャ上に設けられ、クロージャが投与出口に近接して位置するときに投与出口を通ってハウジングに入る。やはりグラクソグループリミテッド名義の英国特許出願第０５０５５４３号およびその対応物のＰＣＴ特許出願ＰＣＴ／ＧＢ２００６／０００９７８が、ステムブロックを含む支持部材を有するプライミング機構を含むｐＭＤＩ用のアクチュエータを説明している。支持部材は、吸入器の作動が不可能である第１の不作動位置と作動が可能である第２の位置との間で、吸入器のハウジングに対して可動である。ノートンヘルスケアリミテッド（Ｎｏｒｔｏｎ  Ｈｅａｌｔｈｃａｒｅ  Ｌｉｍｉｔｅｄ）名義の米国特許第５，４４７，１５０号が、吸入器のマウスピースを覆うことができる回転可能に取り付けられる防塵キャップを備える「呼吸作動」ｐＭＤＩを説明している。吸入器は、防塵キャップが閉位置にある場合は作動することができない。
【００１４】
意図しない作動を阻止する手段を有する複数投与のＤＰＩは、商標Ｅａｓｙｈａｌｅｒ（登録商標）の下に市販されており、その基礎となる吸入器の構造は、ＷＯ−Ａ−０１／８７３９１（オリオン社（Ｏｒｉｏｎ  Ｃｏｒｐｏｒａｔｉｏｎ））に説明されている。Ｅａｓｙｈａｌｅｒ（登録商標）吸入器は、投与部材が吸入器本体に対して計量ドラムの方に移動したとき、粉末化された薬剤を投与する。その移動によりドラムが回転し、粉末化された薬剤の計量された単一の投与量を、ユーザ吸入による吸入空気流に流入させるように粉末保管部から吸入器のマウスピースに向けて投与し、また投与量カウント機構を駆動する。吸入器はまた、マウスピースの上に存在する、吸入器本体を貫通する小さな穴を備える。使用しないときマウスピースを覆うためのキャップが設けられ、そのキャップは、キャップがマウスピースに係合したとき、穴を通って突出し、吸入器本体中に入るプロング（突起）を備える。吸入器本体の内側にプロングが存在することにより、ドラム方向への投与部材の運動を制限し、キャップが装着されている間に、ユーザが投与部材を押圧して粉末を投与することを阻止する。
【発明の開示】
【発明が解決しようとする課題】
【００１５】
本発明の目的は、意図しない作動を予防する新規の手段を備える吸入器を提供することである。
【課題を解決するための手段】
【００１６】
本発明の一態様は、投与される薬剤調製物を含む容器ユニットと共に使用するための吸入器を提供する。吸入器は、容器ユニット用のハウジングであって、その中を容器ユニットがハウジングに向かって相対的に移動することができ、容器ユニットからユーザによる吸入のためのある投与量の薬剤調製物の投与が吸入器の投与出口を通して行われるハウジングと；投与出口を閉鎖する閉位置と投与出口が開く開位置との間で移動することができるクロージャと；制限部材を有する回転可能要素であって、使用時において回転可能要素が、ある投与量の薬剤調製物の投与ための容器ユニットとハウジングとの間の相対的な移動を制限しない非制限位置に制限部材を位置させる第１の位置と、ある投与量の薬剤調製物の投与が防止されるように容器ユニットとハウジングとの間の相対的な移動を制限する制限位置に制限部材を位置させる第２の位置との間で軸を中心に回転可能である回転可能要素とを含み、クロージャが回転可能要素と連動しており、クロージャの閉位置から開位置への移動により回転可能要素が制限部材を制限位置から非制限位置まで、およびその逆に移動させる。
【００１７】
本発明の他の態様および任意選択の特徴を、添付の特許請求の範囲および本発明の非制限的な例示の実施形態に記載しており、次に、これらを添付図面を参照して説明する。
【発明を実施するための最良の形態】
【００１８】
種々の例示的な実施形態の以下の詳細な説明において、特徴の説明の不必要な反復を避けるために、同様の参照番号は同様の特徴を示す。
【００１９】
図１から６は、本発明の第１の実施形態による、患者７１によって使用される、手持ち式で手動の呼吸調整ｐＭＤＩ７０を示している。ｐＭＤＩ７０は、容器ユニット１４、および容器ユニット１４が長手方向軸Ｌ−Ｌに沿ってその中で摺動できるハウジング１を備える。ハウジング１は、全体に管状でＬ形状をしており、軸部分１ａおよびマウスピース３として構成された横部分１ｂを有する。別の実施形態では、横部分１ｂは、患者の外鼻孔７５に挿入するための鼻ノズルとして構成される。
【００２０】
ハウジング１は、プラスチック材料から、例えば、射出成形により成形される。ハウジングは、ポリプロピレンであると好都合である。図２から６に示すｐＭＤＩ７０の使用方向では、ハウジング１は、容器ユニット１４がハウジング１中に挿入可能な、軸部分１ａに上部端４ａを有し、またマウスピース３に下部開放端４ｂを有する。
【００２１】
ｐＭＤＩ７０は、容器ユニット１４の上部端を覆いさらにはハウジング１内に両方向に摺動可能であるキャップ２０をさらに含む。図６に示すようにクロージャ５が開位置にある場合、ユーザ７１による圧力の下向きの印加により、キャップ２０が容器ユニット１４をハウジング１内に押し込む。
【００２２】
容器ユニット１４は、その先端部または先端部に計量バルブ５０およびキャニスタ１４ａの先（バルブ）端部上に取り付けられる投与量カウンタモジュール１４ｂを有する加圧式エアロゾルキャニスタ１４ａを含む。計量バルブは、例えば、バロア（仏）（例えば、ＤＦ１０、ＤＦ３０、ＤＦ６０）、べスパックパブリック（英）（例えば、ＢＫ３００、ＢＫ３５６）、および、３Ｍ−ネオテクニックリミテッド（３Ｍ−Ｎｅｏｔｅｃｈｎｉｃ  Ｌｔｄ）（英）（例えば、Ｓｐｒａｙｍｉｓｅｒ（商標））といった、エアロゾル業界でよく知られている製造業者から市販されている。例示的な計量バルブは、米国特許第６，１７０，７１７号、第６，３１５，１７３号および第６，３１８，６０３号に記載されている。計量バルブ５０の計量チャンバ（図示せず）は、ＵＳ−Ａ−２００３／０１０１９９３に詳説されるように、例えば低温プラズマ重合によって、フッ素化ポリマーでコーティングされることができる。キャニスタ１４ａは、当技術分野で知られており簡単に上記で言及した加圧式薬用エアロゾル調製物を含む。キャニスタ１４ａは、アルミニウムで製造されてよく、例えば、ポリテトラフルオロエチレン（ＰＴＦＥ）とポリエーテルスルホン（ＰＥＳ）との混合物といった非フッ化炭素樹脂と任意選択で混合されるフッ化炭素樹脂でコーティングされる内表面を有してよい。この点に関連して、米国特許第６，１４３，２７７号、第６，５１１，６５３号、第６，２５３，７６２号、第６，５３２，９５５号および第６，５４６，９２８号を参照することができる。投与量カウンタモジュール１４ｂは、ＰＣＴ特許出願番号ＷＯ−Ａ−２００４／００１６６４およびその米国での対応物のＵＳ−Ａ−２００６／００９６５９４で記載される。投与量カウンタモジュール１４ｂは、キャニスタ１４ａのバルブ組立体端部に固定保持されており、キャニスタ１４ａ内に残った薬剤調製物の計量された投与量の数を示すディスプレイを含む。投与量カウンタモジュール１４ｂのディスプレイは、ハウジング１に設けられた窓を通して患者から見ることができる。投与量カウンタモジュール１４ｂのディスプレイおよびハウジングの窓は、第１の実施形態では図示しない。しかし、これらは、第２の実施形態を示している図７から１３に示されており、ディスプレイは１１５および窓は１１６の符号が付けられている。
【００２３】
中空ステムブロック１８は、軸Ｌ−Ｌに沿ってハウジング１の内側基部表面から垂直に突出している。ステムブロック１８は、容器ユニット１４が「停止位置」にあるハウジング１内で受けられるときに計量バルブ組立体５０のバルブステム１４ｃを受ける。ステムブロック１８は、バルブステム１４ｃを受けるための入口端部１８ａおよびマウスピース３に面する出口端部１８ｂを備える内部通路を有する。ステムブロック１８はバルブステム１４ｃを安定に保持し、キャップ２０の押圧およびそれに伴うハウジングのさらに中の停止位置から「作動位置」までの容器ユニットの押圧により、バルブステム１４ｃがキャニスタ１４ａに対して伸び位置から押圧位置まで変位させられる。この変位により、計量された投与量のエアロゾル調製物が、図６に示すように、キャニスタ１４ａからステムブロック１８の出口端部１８ｂを通ってマウスピース３の外へ投与される。
【００２４】
使用時には、計量された投与量の薬用エアロゾル調製物を必要とする患者は、ハウジング１のマウスピース３上に自分の唇を置き、次いで、同時に、吸入し、自分の指７３で下向きの圧力をキャップ２０に印加することにより容器ユニット１４をハウジング１中に押圧して（図６の矢印Ｆ）、計量バルブ５０に容器ユニット１４から計量された投与量の薬剤調製物を放出させ、患者により生成された吸入空気流中に流入させて患者の肺に蓄積させる。言い換えると、患者７１は、ｐＭＤＩ７０、すなわち用語「呼吸調整吸入器」、の作動によって自分の吸入を調整する必要があり、上記のＷＯ−Ａ−２００４／００１６６４に記載されるように、容器ユニット１４をハウジング１中に押圧することにより、さらに、投与量カウンタモジュール１４ｂが投与量の放出を記録し、キャニスタ１４ａ中に残されている計量された投与量の数を示すことになる。
【００２５】
図１から６に示す実施形態では、ｐＭＤＩ７０は、ハウジング１のベース２５内のスロット２９に回転可能に取り付けられ、さらにｐＭＤＩ７０が非使用中である場合にマウスピース３を閉鎖するためのクロージャ５と連動する回転可能要素６を含む。クロージャ５は、例えばポリプロピレンといったプラスチック材料から、例えば、射出成形により成形することができる。好都合に、クロージャ５および回転可能要素６は、例えば単一の成形部品といった、ｐＭＤＩ７０の単一の構成部分を形成することができる。回転可能要素６は、回転可能要素６の本体を通りさらにハウジング１を通る固定軸Ｘを中心に回転する。また、固定軸Ｘは、長手方向軸Ｌ−Ｌに垂直である。この実施形態では、固定軸Ｘは、車軸２１の軸の形態をとり、回転可能要素６はそこを中心にまたはその上を回転する。図２から６に示すように、回転可能要素６は、略「Ｐ」形の本体を有し、固定軸Ｘは、「Ｐ」形本体の略半円形部分２３を通る。
【００２６】
図５に示すクロージャ５の開位置では、「Ｐ」形の回転可能要素６の略半円形部分２３がハウジング１から離れる外向きを向いている。反対に、図２に示すクロージャ５の閉位置では、「Ｐ」形の回転可能要素６の略半円形部分２３は、ハウジング１の内向きを向いてそこに突出している。
【００２７】
回転可能要素６は、間にあるこの実施形態においてはいわゆる「一体蝶番」であるヒンジ８によってクロージャ５と連動する。ヒンジを設けることにより、クロージャ５が、回転可能要素６に作動可能に連結されたままでマウスピース３の寸法に厳密に一致する。クロージャ５は、ヒンジ８上で下向きに揺動することができ、クロージャ５が開位置へ移動するときにマウスピース３の覆いを取るようにする。マウスピース３の覆いを取るために、ユーザは、間のスナップ嵌め接続（図示せず）に打ち勝つのに十分な力で、単にクロージャ５を下向きにマウスピース３から離れるように引っ張る。
【００２８】
ヒンジ８は、また、回転可能要素６が固定軸Ｘを中心に回転する間にクロージャ５と回転可能要素６との間の角度を互いに対して変化させることができる。したがって、クロージャ５を開位置に移動させるときに、クロージャ５がマウスピース３を離れると、クロージャ５はマウスピース３の下に押し戻されることができ、それにより、回転可能要素６が固定軸Ｘを中心に回転して、例えばスナップ嵌めまたは締まり嵌め接続（図示せず）によってハウジング１のベース２５に固定することができる。クロージャ５がこの位置に固定されると、クロージャ５は、スロット２９、および、略半円形部分２３がハウジング１から離れるように外向きを向いている回転可能要素６を覆う。より具体的には、略半円形部分２３は、クロージャ５の内容積部２７内に突出する。
【００２９】
また、図５に示すように、クロージャ５が、回転可能要素６を覆ってハウジング１のベース２５に固定される開位置にあるとき、クロージャ５は、クロージャ５とハウジング１との間で密封状態を形成することができ、したがって、ある投与量の薬剤調製物の吸入の間に、内部に回転可能要素６が回転可能に取り付けられているハウジング１内のスロット２９から外への空気流を減少させることができる。スロット２９を通る空気流を減少させることにより、吸入中の吸入器装置の通常のトップからボトムへまでの空気流特性は、そうではない場合より乱れない。
【００３０】
開位置から閉位置へ戻すようにクロージャ５を移動させるときは、上記のプロセスが単純に逆になる。
【００３１】
前述から推測されるように、クロージャ５が開位置から閉位置に移動するとき、ヒンジ８を介したクロージャ５の回転可能要素６との連動により、回転可能要素６が固定軸Ｘを中心に回転する。回転可能要素６は、クロージャ５が閉位置にあり、それによりキャニスタ１４ａからの不用意な投与および投与量カウンタモジュール１４ｂによって付随して起こるカウントが防止される場合に、ハウジング１内で容器ユニット１４の移動を制限する制限部材７を画定する。この点に関連して、「Ｐ」形の略半円形部分２３のアーチ形状表面が、制限部材７の制限表面７ａを画定する。クロージャ５が開位置から閉位置に移動するとき、図２から６に示すように見た場合、回転可能要素６は固定軸Ｘを中心に反時計回り方向に回転し、制限表面７ａは、ハウジング１を離れるように外側を向いた状態から、ハウジング１内へと内側を向く状態まで移動させられる。制限表面が内側を向いているとき、制限表面７ａは、容器ユニット１４の制限表面７ａとの当接により、より具体的には投与量カウンタモジュール１４ｂの制限部材７ａとの当接により容器ユニット１４とハウジング１との間の相対的な移動を制限するような位置にあり、その結果、ｐＭＤＩ７０が使用中でないとき、ある投与量の薬剤調製物の不用意な投与および投与量カウンタモジュール１４ｂによるカウントを防止する。このような不用意な投与／カウントは、例えば製造業者から販売業者へのｐＭＤＩ７０の出荷の間に、あるいは、ｐＭＤＩ７０が患者のポケットまたはハンドバッグにあるときに、あるいはさらには、人がｐＭＤＩ７０で暇つぶしする／遊ぶことの結果として起こる可能性がある。したがって、薬剤調製物の損失は低減される。
【００３２】
回転可能要素６およびキャップ２０は、プラスチック材料から、例えば射出成形により成形することができる。これらの構成要素がポリプロピレンであると好都合である。
【００３３】
図１から６に示すように、制限表面７ａは、クロージャ５が閉位置にあるときに、カウンタモジュール１４ｂの先端部に当接する、あるいは、それに密接する近傍に位置する。
【００３４】
クロージャ５が閉位置から開位置に移動するとき、ヒンジ８を介したクロージャ５の回転可能要素６との連動により、上述したようにクロージャ５が開位置から閉位置に移動するときに回転する方向と反対の方向に回転可能要素６が固定軸Ｘを中心に回転する。したがって、クロージャ５が閉位置から開位置に移動すると、回転可能要素６が固定軸Ｘを中心に回転し、制限表面７ａがハウジング内へと内側を向いている状態から、ハウジング１を離れるように外側を向いた状態まで移動させられる。制限表面７ａが外側を向いているとき、制限表面７ａは、回転可能要素６の他のすべての表面とちょうど同じように、容器ユニット１４とハウジング１との間の相対的な移動を制限するような位置になく、その結果、ユーザは、クロージャ５が開位置にあるときにキャップ２０を押圧することによりある投与量の薬剤調製物を放出することができる。また、投与量カウンタモジュール１４ｂはその投与量の放出を記録する。
【００３５】
本発明の第２の手持ち式で手動の呼吸調整ｐＭＤＩ１７０を図７から１３に示しており、第１のｐＭＤＩ１７０によって示されていない特徴のみ以下において詳細に示す。
【００３６】
回転可能要素１０６は、間隔が空いて平行な２つの「Ｐ」形部材１０６ａおよび１０６ｂを有する。回転可能要素１０６は、２つの「Ｐ」形部材１０６ａおよび１０６ｂを連結する架橋部材１０６ｃを有する。各「Ｐ」形部材１０６ａ、１０６ｂは、図１から６の第１の実施形態と同じ形で機能する制限表面１０７ａを与える。より具体的には、２つの制限表面１０７ａは、クロージャ１０５が閉位置にあるときに（図９を参照）ステムブロック１１８の両側に配置され、容器ユニット１１４とハウジング１０１との間の相対的な移動を制限してそれによりある投与量の薬剤調製物の不用意な投与／カウントを防止する。このような配置により、クロージャ５が閉位置にあるとき、安定した制限表面１０７ａが容器ユニット１１４とハウジング１０１との間の相対的な移動を制限する間に、ステムブロック１１８が、ハウジング１０１の横方向部分１０１ｂ内の中央に位置することができる。
【００３７】
本発明の第３の手持ち式で手動の呼吸調整ｐＭＤＩ２７０を図１４から２０に示しており、第１または第２のｐＭＤＩ７０；１７０によって示されていない特徴のみ以下において詳細に示す。
【００３８】
ある投与量の薬剤調製物の投与は、開位置にあるクロージャ２０５を用いてｐＭＤＩ２７０を保持しながら、ユーザがサイド作動レバー２５０ａ、ｂを押圧することにより達成される。図１７および１８に示すように、ハウジングは、２つの分離した構成部品である、下記の差込接続によって組立てられることができる上側ハウジング２０１ａおよび下側ハウジング２０１ｂを含む。下側ハウジング２０１ｂは、キャニスタ２１４ａの先端部に取り付けられる投与量カウンタモジュール２１４ｂを受け、回転可能要素２０６を固定するためのステムブロック２１８および車軸２２１を含む。マウスピース２０３は、下側ハウジング２０１ｂと一体に形成されず、代わりに、分離した構成部品を形成する。
【００３９】
上側ハウジング部分２０１ａは、略逆Ｔ形の中空で貝殻様の上側本体を含み、サイド作動レバー２５０ａ、ｂをそれぞれ受けるための横方向開口部２４９ａ、ｂを与える。上側ハウジング部分２０１ａは、横方向開口部２４９ａ、ｂ内においての停止位置（図１４〜１６）と内向きの作動位置（図示せず）との間でのそれ自体の枢動のために、レバー２５０ａ、ｂのピボット要素２７６ａ、ｂと係合するためのピボット要素２５１ａ、ｂを与える胴部２８９をさらに含む。
【００４０】
胴部２８９は、ハウジング２０１を形成するために上側および下側ハウジング部分２０１ａ、ｂを接続する差込接続のオス型部分を形成する１対の腕２９０ａ、ｂをその下側端部に含む。差込接続のメス型部分は、下側ハウジング部分２０１ｂに設けられる（図示せず）。
【００４１】
図１７に、サイド作動レバー２５０ａ、ｂの内側への押圧を容器ユニット２１４とハウジング２０１との間の相対的な移動へと変換し、それにより、ある投与量の薬剤調製物を投与する負荷部材２６１を示す。負荷部材２６１が、容器ユニット２１４の上から接続されて、停止位置と作動位置との間でのレバー２５０ａ、ｂの枢動により、負荷部材２６１との係合によってキャニスタ２１４ａの作動が行われる。
【００４２】
負荷部材２６１は、キャニスタ２１４ａの外側周囲壁と、ここではスリーブ２７１の橋渡しをしてキャニスタ２１４ａのベースと係合するスリーブ２７１の一方の上側端部における端部部分２７３と、フランジを与えてキャニスタ２１４ａを荷載するために作動レバー２５０ａによって係合されるスリーブ２７１の他方の下側端部における負荷部分２７５との緊密な嵌めあいであるスリーブ２７１を含む。
【００４３】
図１７に、レバー２５０ａ、ｂが中空の貝殻状の部材であり、容器ユニット２１４の両側上の負荷部材２６１の負荷部分２７５に作用するために使用時に容器ユニット２１４をまたぐ１対の負荷腕２７９をそれぞれが与えていることを示す。
【００４４】
ｐＭＤＩ２７０を作動させるために、ユーザは、手動でｐＭＤＩ２７０を図１５に示す「マウスピースオープン」構成にして、次いで、自分の口にマウスピース２０３を持っていき、吸入息で調整して、１桁または複数桁の手持ち式ｐＭＤＩ２７０を用いて作動レバー２５０ａ、ｂを押圧することによって吸入器を作動させる。レバー２５０ａ、ｂを押圧することにより、レバー２５０ａ、ｂが内向きに回転し、レバー２５０ａ、ｂの負荷腕２７９が負荷部材２６１の負荷部分２７５を駆動させ、それにより、負荷部材２６１が下向きに駆動されて、負荷部材２６１の下向きの移動により、ステムブロック２１８によって静止して保持されているキャニスタ２１４ａのバルブステム（図示せず）に対して下向きに容器ユニットが駆動される。より具体的には、レバー２５０ａ、ｂが内向きに枢動すると、負荷腕２７９が負荷部分２７５に作用し、負荷部材２６１を下向きに押す。次いで、これにより、負荷部材２６１の端部部分２７３がキャニスタ２１４ａのベースを圧迫し、静止したバルブステムに対してハウジング内で下向きに容器ユニット２１４を押す。
【００４５】
静止したバルブステムに対しての容器ユニット２１４のこの下向きの移動は、キャニスタ２１４ａを作動させ、計量された噴霧の薬剤調製物がバルブステムからマウスピース２０３内を通って投与される。
【００４６】
結果として起こるハウジング２０１内での容器ユニット２１４の下向きの移動は、計量された投与量の薬剤の投与のために、計量バルブを開くことにつながるだけでなく、上記のＷＯ−Ａ−２００４／００１，６６４に詳説されるように投与量カウンタモジュール２１４ｂのディスプレイを前進させる。
【００４７】
レバー２５０ａ、ｂを離すと、ｐＭＤＩ２７０は、計量バルブ内の戻りばねによってリセットされて次の作動に備える。
【００４８】
作動後、ｐＭＤＩ２７０はユーザの口から外されて、マウスピース２０３がクロージャ２０５によって閉鎖されて次の作動に備える。
【００４９】
図１８に見られるように、本発明のこの実施形態では、クロージャ２０５および回転可能要素２０６は、例えば締まり嵌めまたはスナップ嵌めといった任意適当な接続によって一体型のコンポーネントに組立てられることができる分離したサブコンポーネントとして形成される。回転可能要素２０６は、ヒンジ２０８と共に一体に形成される。クロージャ２０５および回転可能要素２０６は、プラスチック材料であることが好都合であり、ヒンジ２０８が一体蝶番である成形プラスチック部品であることがより好都合である。
【００５０】
図示しないが、第３の実施形態の修正形態では、レバー２５０ａ、ｂは、例えば一体型成形として、胴部２８９と共に一体に形成される。レバー２５０ａ、ｂは、一体蝶番を通して胴部２８９に連結され、レバー２５０ａ、ｂの必要とされる枢動を実現する。
【００５１】
ある投与量の薬剤調製物の不測の投与は、容器ユニット２１４の先端部に取り付けられた投与量カウンタモジュール２１４ｂと当接することにより、２つの略「Ｐ」形の部材２０６ａおよび２０６ｂの２つの制限表面２０７ａが、容器ユニット２１４とハウジング２０１との間での相対的移動を制限することから、クロージャ２０５が図１４および１９に示すような閉位置にある場合には防止される。図１５および２０に示すようにクロージャが開位置にあり、サイド作動レバー２５０ａ、ｂがユーザによって押圧された場合、２つの略「Ｐ」形の部材２０６ａおよび２０６ｂの２つの制限表面２０７ａは、容器ユニット２１４とハウジング２０１との間での相対的な移動を制限せず、それにより、ある投与量の薬剤調製物の投与が防止されない。
【００５２】
図１３の第２の実施形態および図１５の第３の実施形態を参照すると、クロージャ１０５；２０５がハウジング１０１；２０１のベース１２５；２２５に固定されるその開位置にある場合、クロージャ１０５；２０５は、回転可能要素１０６；２０６および連動するスロット１２９；２２９を囲むのに加えて、ｐＭＤＩ１７０；２７０がその使用方向おいて垂直に立つことができるスタンドとしても機能する。
【００５３】
本発明の例示的な実施形態において、クロージャの開位置から閉位置への移動の間、容器ユニットは、ある投与量の薬剤調製物の投与を防止するためにハウジングに対して移動を要求しないことが確認されるであろう。これは、回転可能要素が制限部材を含まず、容器ユニットが、ハウジング内に含まれる制限部材の近傍に入ってそれによりある投与量の薬剤調製物の投与を防止するためにハウジングに対して移動されなければならない、英国特許出願第０５０５５４３号およびその対応物であるＰＣＴ特許出願ＰＣＴ／ＧＢ２００６／０００９７８に記載される吸入器と異なる。
【００５４】
本発明の例示的な吸入器は、呼吸作動ｐＭＤＩとは区別される呼吸調整ｐＭＤＩである。呼吸作動ｐＭＤＩの一例は、ＵＳ５，４４７，１５０内に見られる。
【００５５】
本発明の例示的な吸入器は、米国特許第６，３９０，２９１号、第６，１１９，８５３号、第６，１７９，１１８号、第６，６７９，３７４号、第６，３１５，１１２号および第６，３５２，１５２号に記載される吸入器を含む吸入器を格納して収容するためのオーバーラップパッケージと共に使用されることができる。
【００５６】
それぞれの上述した実施形態は、すべて２００６年８月２２日に出願された米国特許仮出願第６０／８２３，１３９号、第６０／８２３，１４１号、第６０／８２３，１３４号、第６０／８２３，１４３号、第６０／８２３，１４６号、第６０／８２３，１５１号および第６０／８２３，１５４号、ならびに、国際特許出願ＰＣＴ／ＧＢ２００６／０００９６３、ＰＣＴ／ＧＢ２００６／０００９６６、ＰＣＴ／ＧＢ２００６／０００９７８、ＰＣＴ／ＧＢ２００６／０００９７８、ＰＣＴ／ＧＢ２００６／０００９７５、ＰＣＴ／ＧＢ２００６／０００９６５に対応する米国特許出願に開示される１つまたは複数の特徴を組み込むために修正されることができ、これらの特許出願のそれぞれは、参照により全体として本明細書に組み込まれる。
【００５７】
上述の例示的な実施形態は、添付の特許請求の範囲からの１つまたは複数の特徴を組み込むためにさらに修正されることができる。
【００５８】
本発明の容器ユニットに含まれる薬剤は、軽度の、中程度のもしくは重度の急性または慢性症状の治療用であってよく、あるいは、予防療法用であってよい。この薬剤は、例えば、喘息、慢性閉塞性肺疾患（ｃｈｒｏｎｉｃ  ｏｂｓｔｒｕｃｔｉｖｅ  ｐｕｌｍｏｎａｒｙ  ｄｉｓｅａｓｅ（ＣＯＰＤ））といった呼吸器疾患の治療に適しているが、例えば鼻炎治療といった他の治療指標用であってもよい。
【００５９】
したがって、適切な治療薬または薬剤は、例えば、
例えば、コデイン、ジヒドロモルフィン、エルゴタミン、フェンタニールまたはモルヒネといった、鎮痛剤；
例えば、ジルチアゼムといった、狭心症用製剤；
例えば、クロモグリク酸（例えば、ナトリウム塩としての）、ケトチフェンまたはネドクロミル（例えば、ナトリウム塩としての）といった、抗アレルギー剤；
例えば、セファロスポリン、ペニシリン、ストレプトマイシン、スルホンアミド、テトラサイクリン、およびペンタミジンといった、抗感染薬；
例えば、メタピリレンといった、抗ヒスタミン薬；
例えば、アンレキサノクス、アステミゾール、アザタジン、アゼラスチン、アクリバスチン、ブロムフェニラミン、セチリジン、レボセチリジン、エフレチリジン、クロルフェニラミン、クレマスチン、シクリジン、カレバスチン、シプロヘプタジン、カルビノキサミン、デスカルボエトキシロラタジン、ドキシルアミン、ジメチンデン、エバスチン、エピナスチン、エフレチリジン、フェキソフェナジン、ヒドロキシジン、サジテン、ロラタジン、レボカバスチン、ミゾラスチン、メキタジン、ミアンセリン、ノベラスチン、メクリジン、ノルアステミゾール、オロパタジン、ピクマスト、ピリラミン、プロメタジン、テルフェナジン、トリペレナミン、テメラスチン、トリメプラジン、およびトリプロリジン、特にセチリジン、レボセチリジン、エフレトリジン、およびフェキソフェナジンといった、Ｈ１拮抗物質；
例えば、ＷＯ−Ａ−０４０３５５５６とＷＯ−Ａ−０６０４５４１６で開示された化合物といった、Ｈ３拮抗物質；
例えばヤブロノフスキー他、Ｊ．Ｍｅｄ．Ｃｈｅｍ．４６：３９５７−３９６０（２００３）で開示された化合物といった、Ｈ４拮抗物質；
例えば、メチルプレドニソロン、プレドニソロン、デキサメサゾン、プロピオン酸フルチカソン、６α，９α−ジフルオロ−１１β−ヒドロキシ−１６α−メチル−１７α−［（４−メチル−１，３−チアゾール−５−カルボニル）オキシ］−３−オキソ−アンドロスタ−１，４−ジエン−１７β−カルボチオ酸Ｓ−フルオロメチルエステル、６α，９α−ジフルオロ−１７α−［（２−フラニルカルボニル）オキシ］−１１β−ヒドロキシ−１６α−メチル−３−オキソ−アンドロスタ−１，４−ジエン−１７β−カルボチオ酸Ｓ−フルオロメチルエステル（フルチカゾンフロ酸エステル）、６α，９α−ジフルオロ−１１β−ヒドロキシ−１６α−メチル−３−オキソ−１７α−プロピオニルオキシ−アンドロスタ−１，４−ジエン−１７β−カルボチオ酸Ｓ−（２−オキソ−テトラヒドロフラン−３Ｓ−イル）エステル、６α，９α−ジフルオロ−１１β−ヒドロキシ−１６α−メチル−３−オキソ−１７α−（２，２，３，３−テトラメチルシクロプロピルカルボニル）オキシ−アンドロスタ−１，４−ジエン−１７β−カルボチオ酸Ｓ−シアノメチルエステル、６α，９α−ジフルオロ−１１β−ヒドロキシ−１６α−メチル−１７α−（１−メチルシクロプロピルカルボニル）オキシ−３−オキソ−アンドロスタ−１，４−ジエン−１７β−カルボチオ酸Ｓ−フルオロメチルエステル、ベクロメタゾンエステル（例えば、１７−プロピオン酸エステルまたは１７，２１−プロピオン酸エステル）、ブデソニド、フルニソリド、モメタゾンエステル（例えば、モメタゾンフロ酸エステル）、トリアムシノロンアセトニド、ロフレポニド、コルチコステロイド（１６α，１７−［［（Ｒ）−シクロヘキシルメチレン］ビス（オキシ）］−１１β，２１−ジヒドロキシ−プレグナ−１，４−ジエン−３，２０−ジオン）、ブチキソコートプロピオナート、ＲＰＲ−１０６５４１、またはＳＴ−１２６といった、抗炎症剤；
例えば、ノスカピンといった、鎮咳薬；
例えば、サルメテロール（Ｒ−エナチオマなどのラセミ体または単一エナンチオマであるかもしれない）、サルブタモール（Ｒ−エナチオマなどのラセミ体または単一エナンチオマであるかもしれない）、フォルモテロール（Ｒ，Ｒ−ジアステレオマーなどのラセミ体または単一ジアステレオマーであるかもしれない）、サルメファモール、フェノテロールカルモテロール、エタンテロール、ナミンテロール、クレンブテロール、ピルブテロール、フレロブテロール、レプロテロール、バンブテロール、インダカテロール、テルブタリン、および例えば、サルメテロールのキシナホ酸（１−ヒドロキシ−２−ナフタレンカルボン酸メチル）塩、サルブタモールの硫酸塩または遊離塩基またはフォルモテロールのフマル酸塩といった、それらの塩を含むβ２アドレノレセプターのアゴニストといった、気管支拡張剤から選択することができ、
他のβ２アドレノセプターのアゴニストはＷＯ０２／０６６４２２、ＷＯ０２／０７０４９０、ＷＯ０２／０７６９３３、ＷＯ０３／０２４４３９、ＷＯ０３／０７２５３９、ＷＯ０３／０９１２０４、ＷＯ０４／０１６５７８、Ｗ０２００４／０２２５４７、Ｗ０２００４／０３７８０７、Ｗ０２００４／０３７７７３、Ｗ０２００４／０３７７６８、Ｗ０２００４／０３９７６２、Ｗ０２００４／０３９７６６、ＷＯ０１／４２１９３、およびＷＯ０３／０４２１６０に記載されていたものを含み、
β２アドレノセプターのアゴニストの例は：
３−（４−｛［６−（｛（２Ｒ）−２−ヒドロキシ−２−［４−ヒドロキシ−３−（ヒドロキシメチル）フェニル］エチル｝アミノ）ヘキシル］オキシ｝ブチル）ベンゼンスルホンアミド；
３−（３−｛［７−（｛（２Ｒ）−２−ヒドロキシ−２−［４−ヒドロキシ−３−ヒドロキシメチル）フェニル］エチル｝−アミノ）ヘプチル］オキシ｝プロピル）ベンゼンスルホンアミド；
４−｛（１Ｒ）−２−［（６−｛２−［（２，６−ジクロロベンジル）オキシ］エトキシ｝ヘキシル）アミノ］−１−ヒドロキシエチル｝−２−（ヒドロキシメチル）フェニル；
４−｛（１Ｒ）−２−［（６−｛４−［３−（シクロペンチルスルホニル）フェニル］ブトキシ｝ヘキシル）アミノ］−１−ヒドロキシエチル｝−２−（ヒドロキシメチル）フェノール；
Ｎ−［２−ヒドロキシル−５−［（１Ｒ）−１−ヒドロキシ−２−［［２−４−［［（２Ｒ）−２−ヒドロキシ−２−フェニルエチル］アミノ］フェニル］エチル］アミノ］エチル］フェニル］ホルムアミド；
Ｎ−２｛２−［４−（３−フェニル−４−メトキシフェニル）アミノフェニル］エチル｝−２−ヒドロキシ−２−（８−ヒドロキシ−２（１Ｈ）−キノリノン−５−イル）エチルアミン；および
５−［（Ｒ）−２−（２−｛４−［４−（２−アミノ−２−メチル−プロポキシ）−フェニルアミノ］−フェニル｝−エチルアミノ）−１−ヒドロキシ−エチル］−８−ヒドロキシ−１Ｈ−キノリン−２−オン
を含む。
【００６０】
β２アドレノセプターのアゴニストが、硫酸、塩酸、フマル酸、ヒドロキシナフトエ酸（例えば、１−または３−ヒドロキシ−２−ナフトエ酸）、桂皮酸、置換桂皮酸、トリフェニル酢酸、スルファミン酸、スルファニル酸、ナフタレンアクリル酸、安息香酸、４−メトキシ安息香酸、２−または４−ヒドロキシ安息香酸、４−クロロ安息香酸、および４−フェニル安息香酸から選択される医薬的に許容される酸を用いて形成される塩の形態であってよい。
【００６１】
開示する特許および化合物が参照により完全に本明細書に組み込まれる、１９９６年９月３日に発行された米国特許第５，５５２，４３８号に記載される、例えば、シス−４−シアノ−４−（３−シクロペンチルオキシ−４−メトキシフェニル）シクロヘキサン−１−カルボキシル酸、２−カルボメトキシ−４−シアノ−４−（３−シクロプロピルメトキシ−４−ジフルオロメトキシフェニル）シクロヘキサン−１−オン、シス−［４−シアノ−４−（３−シクロプロピルメトキシ−４−ジフルオロメトキシフェニル）シクロヘキサン−１−オール］、およびシス−４−シアノ−４−［３−（シクロペンチルオキシ）−４−メトキシフェニル］シクロヘキサン−１−カルボン酸（やはり、シロミラストとして知られる）といったＰＤＥ４抑制剤、ならびに、その塩、エステル、プロドラッグ、または物理的形状；
別のＰＤＥ４抑制剤は、公開された国際特許出願ＷＯ０４／０２４７２８（グラクソグリープリミテッド）、ＷＯ０４／０５６８２３（グラクソグリープリミテッド）、およびＷＯ０４／１０３９９８（グラクソグループリミテッド）に記載される；
例えば、モンテルカスト、プランルカストおよびザファールカストといったロイコトリエン拮抗薬；例えば、ＷＯ−Ａ−９３１３０５５、ＷＯ−Ａ−９８３０５３７、ＷＯ−Ａ−０２５００２１、ＷＯ−Ａ−９５３４５３４またはＷＯ−Ａ−９９６２８７５に開示される、ｉＮＯＳ抑制剤；
例えば、２Ｒ，３Ｒ，４Ｓ，５Ｒ）−２−［６−アミノ−２−（１Ｓ−ヒドロキシメチル−２−フェニル−エチルアミノ）−プリン−９−イル］−５−（２−エチル−２Ｈ−テトラゾル−５−イル）−テトラヒドロ−フラン−３，４−ジオール（例えばマレイン酸エステルとして）］といったアデノシン２ａアゴニスト；［例えば、（２Ｓ）−３−［４−（｛［４−（アミノカルボニル）−１−ピペリジニル］カルボニル｝オキシ）フェニル］−２−［（（２Ｓ）−４−メチル−２−｛（［２−（２−エチルフェノキシ）アセチル］アミノ｝ペンタノイル）アミノ］プロパン酸（例えば、遊離酸またはカリウム塩として）といった、α４インテグリン抑制剤］；
例えば、アミロリドといった、利尿薬；
例えば、イプラトロピウム（例えば、ブロム剤として）チオトロピウム、アトロピン、オキシトロピウム、レバトロパン酸（例えば、臭化水素酸として）または、ＷＯ−Ａ−０１０４１１８に記載されるＬＡＳ−３４２７３といった、抗コリン作用薬；
例えば、コルチゾン、ヒドロコルチゾン、またはプレドニゾロンといった、ホルモン；例えば、アミノフィリン、コリンテオフィリネート、リジンテオフィリネート、またはテオフィリン、といった、キサンチン；＃
例えば、インスリンまたはグルカゴンといった、治療用タンパク質およびペプチド。
【００６２】
薬剤は、適切な場合、薬剤の活性および／または安定性を最適化するために、および／または噴射剤中の薬剤の溶解性を最小化するために、塩（例えば、アルカリ金属もしくはアミン塩として、または酸付加塩として）の形で、またはエステル（例えば、低アルキルエステル）として、または溶媒化合物（例えば、含水物）として使用できることは当業者であれば明らかである。
【００６３】
薬剤は、喘息および鼻炎などの炎症性疾患または病気の治療のための抗炎症性の配合物であることが好ましい。
【００６４】
薬剤は、ＨＦＡ−１３４ａもしくはＨＦＡ−２２７、またはその組合せなどのヒドロフルオロアルカン噴射剤中に配合されることが好ましい。
【００６５】
薬剤は、コルチコステロイド（例えば、フルチカゾンフロ酸エステルまたはプロピオン酸フルチカソン、モメタゾンフロ酸エステル、あるいは、サイクルソニド（ｃｙｃｌｅｓｏｎｉｄｅ））などの抗炎症性ステロイド、または、例えばキシナホ酸塩として、サルメテロールなどの長時間作用性ベータ作用薬（ＬＡＢＡ）、あるいは、その組合せであることが好ましい。
【００６６】
好ましい薬剤は、サルメテロール、キシナホ酸サルメテロール、サルブタモール、硫酸サルブタモール、フランカルボン酸フルチカゾン、プロピオン酸フルチカゾン、フランカルボン酸モメタゾン、シクレソニド、およびジプロピオン酸ベクロメタゾン、ならびに、その塩、エステル、または溶媒和化合物。
【００６７】
他の適切な抗炎症性の配合物は、ＮＳＡＩＤ、例えば、ＰＤＥ４抑制薬、ロイコトリエン拮抗薬、ｉＮＯＳ抑制薬、トリプターゼおよびエラスターゼ抑制薬、ベータ２インテグリン拮抗薬、およびアデノシン２ａ作動薬を含む。
【００６８】
薬剤は、組み合わせて送達することができる。一例として、ベクロメサゾン（例えば、エステル、好ましくはジプロピオン酸エステルとして）またはフルチカゾンフロ酸エステルまたはフルチカゾンプロピオン酸エステルなどの抗炎症性のステロイドと組み合わせて、サルブタモール（例えば、硫酸塩の遊離塩基として）またはサルメテロール（例えば、キシナホ酸塩として）を提供することができる。
【００６９】
本明細書において上記あるいは下記で引用するすべての刊行物、特許、および、特許出願は、それぞれの刊行物、特許または特許出願が明確かつ個別に参照によって組み込まれることを意図するかのように、同様の範囲に対してのその全体を参照することによって本明細書に組み込まれる。
【００７０】
明細書および添付の特許請求の範囲で使用される場合、単数形の「ａ」、「ａｎ」、「ｔｈｅ」および「ｏｎｅ」は、内容が別の形を明確に指示していない限り複数の指示対象を含む。また、「概ね（ｇｅｎｅｒａｌｌｙ）」、「約（ａｂｏｕｔ）」、「ほぼ（ａｐｐｒｏｘｉｍａｔｅｌｙ）」などの用語の使用は、厳密な値、特性またはパラメータを含むことを意味する。
【００７１】
上記では、本発明を例示のためだけに説明してきており、その上記説明を、特許請求の範囲に対して何らかの限定を加えるものと見なすべきでないことを理解されたい。特に、本発明は、ｐＭＤＩに関して説明してきたが、本発明は、その吸入器の形態に限定されるものではない。本発明の範囲は、添付の特許請求の範囲により定義される。
【図面の簡単な説明】
【００７２】
【図１】本発明による使用中の第１のｐＭＤＩを示す図である。
【図２】制限部材がハウジング内のキャニスタユニットの移動を制限することによりそこからの投与を防止するように、ヒンジによって略「Ｐ」形の回転可能制限部材と連動するクロージャによって投与出口が閉鎖されるハウジング内に取り付けられる容器ユニットを示す、第１のｐＭＤＩの部分断面側面図である。
【図３】図２に対応するが、投与出口の外への容器ユニットからの投与を行うことができるように、クロージャの閉位置から開位置への移動がどのように、連動する「Ｐ」形の回転可能な制限部材をハウジングと容器ユニットとの間での相対的な移動を制限しなくなる位置内に回転させるかを順番に示す図である。
【図４】図２に対応するが、投与出口の外への容器ユニットからの投与を行うことができるように、クロージャの閉位置から開位置への移動がどのように、連動する「Ｐ」形の回転可能な制限部材をハウジングと容器ユニットとの間での相対的な移動を制限しなくなる位置内に回転させるかを順番に示す図である。
【図５】図２に対応するが、投与出口の外への容器ユニットからの投与を行うことができるように、クロージャの閉位置から開位置への移動がどのように、連動する「Ｐ」形の回転可能な制限部材をハウジングと容器ユニットとの間での相対的な移動を制限しなくなる位置内に回転させるかを順番に示す図である。
【図６】図２に対応するが、投与出口の外への容器ユニットからの投与を行うことができるように、クロージャの閉位置から開位置への移動がどのように、連動する「Ｐ」形の回転可能な制限部材をハウジングと容器ユニットとの間での相対的な移動を制限しなくなる位置内に回転させるかを順番に示す図である。
【図７】マウスピースを備えるハウジングと、ハウジング内に取り付けるための容器ユニットと、マウスピースを閉鎖するためのクロージャと、ｐＭＤＩを作動するためのキャップと、クロージャと連動する１対の略「Ｐ」形の回転可能制限部材とを含む、本発明による第２のｐＭＤＩの下側からの分解斜視図である。
【図８】第２のｐＭＤＩのクロージャおよび連動する回転可能制限部材の側面図である。
【図９】マウスピース上の閉位置にあるクロージャ、および、ステムブロックの両側上の制限位置にある連動する回転可能制限部材の制限表面の断片的斜視図である。
【図１０】クロージャがその閉位置にあり、連動する回転可能制限部材の制限表面がステムブロックの両側上の制限位置にある、第２のｐＭＤＩの側面図である。
【図１１】図１０に対応する部分断面図である。
【図１２】クロージャが閉位置と開位置との間の中間位置にある、第２のｐＭＤＩを示す部分断面図である。
【図１３】クロージャが開位置にあってハウジングのベースに固定されており、それにより、連動する「Ｐ」形の回転可能制限部材の制限表面がハウジングと容器ユニットとの間での相対的な移動を制限しない位置内に移されてある投与量の薬剤調製物の投与を可能にする、第２のｐＭＤＩの別の部分断面図である。
【図１４】閉位置にあるクロージャを示している、ある投与量の薬剤調製物を投与するためのサイド作動レバーを含む本発明による第３のｐＭＤＩの斜視図である。
【図１５】クロージャが開位置にあってハウジングに固定されている、第３の実施形態を示す斜視図である。
【図１６】クロージャが閉位置と開位置との間の中間位置にあり、連動する「Ｐ」形の回転可能制限部材の制限表面の１つがマウスピースを通して可視である、第３の実施形態を示す斜視図である。
【図１７】第３の実施形態のサイド作動機構の構成部品を示す分解斜視図である。
【図１８】第３の実施形態の下側ハウジング、マウスピース、クロージャおよび回転可能要素を示す分解斜視図である。
【図１９】当該投与量の薬剤調製物の投与を防止するために、クロージャが閉位置にありさらに回転可能要素が制限位置にある、第３の実施形態を示す部分断面側面図である。
【図２０】当該投与量の薬剤調製物の投与が防止されないように、クロージャが開位置にありさらに回転可能要素が非制限位置にある、第３の実施形態を示す部分断面側面図である。
【図１】
2009507540.tif 000004
【図２】
2009507540.tif 000005
【図３】
2009507540.tif 000006
【図４】
2009507540.tif 000007
【図５】
2009507540.tif 000008
【図６】
2009507540.tif 000009
【図７】
2009507540.tif 000010
【図８】
2009507540.tif 000011
【図９】
2009507540.tif 000012
【図１０】
2009507540.tif 000013
【図１１】
2009507540.tif 000014
【図１２】
2009507540.tif 000015
【図１３】
2009507540.tif 000016
【図１４】
2009507540.tif 000017
【図１５】
2009507540.tif 000018
【図１６】
2009507540.tif 000019
【図１７】
2009507540.tif 000020
【図１８】
2009507540.tif 000021
【図１９】
2009507540.tif 000022
【図２０】
2009507540.tif 000023
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
投与される薬剤調製物を含む容器ユニットと共に使用される吸入器であって、
前記容器ユニット用のハウジングであって、その中を前記容器ユニットが前記ハウジングに向かって相対的に移動することができ、前記容器ユニットからユーザによる吸入のためのある投与量の前記薬剤調製物の投与が前記吸入器の投与出口を通して行われるハウジングと、
前記投与出口を閉鎖する閉位置と前記投与出口が開く開位置との間で移動することができるクロージャと、
制限部材を有する回転可能要素であって、使用時において前記回転可能要素が、前記投与量の前記薬剤調製物の投与ための前記容器ユニットと前記ハウジングとの間の相対的な移動を制限しない非制限位置に前記制限部材を位置させる第１の位置と、前記投与量の前記薬剤調製物の投与が防止されるように前記容器ユニットと前記ハウジングとの間の相対的な移動を制限する制限位置に前記制限部材を位置させる第２の位置との間で軸を中心に回転可能である回転可能要素と
を含み、
前記クロージャが前記回転可能要素と連動しており、前記クロージャの閉位置から開位置への移動により前記回転可能要素が前記制限部材を前記制限位置から前記非制限位置まで移動させ、かつその逆の動作もさせ、
ヒンジが前記回転可能要素と前記クロージャとの間に配置される、
吸入器。
【請求項２】
前記回転可能要素が、固定軸を中心に回転する、請求項１に記載の吸入器。
【請求項３】
前記回転可能要素の前記固定軸が、前記吸入器のハウジングを通っている、請求項２に記載の吸入器。
【請求項４】
前記クロージャが前記開位置から前記閉位置まで移動する間に、前記容器ユニットが、前記投与量の前記薬剤調製物の投与を防止するために前記ハウジングに対しての相対的な移動を要求しないことを特徴とする、前記請求項のいずれか一項に記載の吸入器。
【請求項５】
前記制限部材が制限表面を有し、前記開位置から前記閉位置までの前記クロージャの移動により、前記回転可能要素を前記第１の位置から前記第２の位置まで回転させ、それにより前記制限部材をその制限位置まで移動させて、前記制限位置では、前記制限表面が前記ハウジングと前記容器ユニットとの間の相対的な移動を制限する、前記請求項のいずれか一項に記載の吸入器。
【請求項６】
前記制限表面が、湾曲した表面である、請求項５に記載の吸入器。
【請求項７】
前記湾曲した表面が、前記軸を中心に一定の半径を有する、請求項６に記載の吸入器。
【請求項８】
前記回転可能要素が、前記軸に取り付けられた略半円状の部分を含み、その周囲表面が前記制限表面を形成する、請求項５、６または７に記載の吸入器。
【請求項９】
前記回転可能要素が中心として回転可能である前記軸が、前記回転可能要素を通っている、前記請求項のいずれか一項に記載の吸入器。
【請求項１０】
前記回転可能要素が略「Ｐ」形である、前記請求項のいずれか一項に記載の吸入器。
【請求項１１】
前記回転可能要素が中心として回転可能である前記軸が、前記「Ｐ」形の前記半円形部分を通っている、請求項１０に記載の吸入器。
【請求項１２】
前記「Ｐ」形の前記半円形表面が、前記制限部材の前記制限表面を形成する、請求項５に従属する場合の請求項１０または１１に記載の吸入器。
【請求項１３】
前記クロージャが前記開位置にあるとき、前記クロージャが前記回転可能要素を覆うことが可能となっている、前記請求項のいずれか一項に記載の吸入器。
【請求項１４】
前記クロージャがその開位置にあるとき、前記回転可能要素が前記クロージャの内側に配置可能となっている、請求項１３に記載の吸入器。
【請求項１５】
前記回転可能要素および前記クロージャが、選択的に一体に形成される単一の構成要素に含まれる、前記請求項のいずれか一項に記載の吸入器。
【請求項１６】
前記クロージャが前記開位置にあるとき、前記クロージャが開放可能に前記ハウジングに固定されるように適合される、前記請求項のいずれか一項に記載の吸入器。
【請求項１７】
前記クロージャが、前記ハウジングに固定されたときに前記吸入器用のベースを形成するように適合される、請求項１６に記載の吸入器。
【請求項１８】
前記ベースが、前記吸入器用のスタンドを形成するように適合される、請求項１７に記載の吸入器。
【請求項１９】
前記吸入器が呼吸作動吸入器でないことを条件とする、前記請求項のいずれか一項に記載の吸入器。
【請求項２０】
前記吸入器が手動呼吸調整吸入器である、前記請求項のいずれか一項に記載の吸入器。
【請求項２１】
前記吸入器がｐＭＤＩである、前記請求項のいずれか一項に記載の吸入器。
【請求項２２】
前記容器ユニットが、加圧式容器ユニットである、前記請求項のいずれか一項に記載の吸入器。
【請求項２３】
前記容器ユニットが、前記薬剤調製物を含む容器を含む、前記請求項のいずれか一項に記載の吸入器。
【請求項２４】
アクセサリが、前記容器に取り付けられる、請求項２３に記載の吸入器。
【請求項２５】
前記アクセサリが、前記容器の先端部に取り付けられる、請求項２４に記載の吸入器。
【請求項２６】
前記容器が、加圧式容器である、請求項２３、２４または２５に記載の吸入器。
【請求項２７】
前記回転可能要素が制限部材から構成される、前記請求項のいずれか一項に記載の吸入器。
【請求項２８】
前記吸入器は、前記クロージャが前記閉位置にあるとき、前記制限部材が前記容器ユニットに当接するように配置されて、それにより、ある投与量の前記薬剤調製物の投与を防止するように、前記容器ユニットの前記ハウジングに対する相対的な移動を制限し、
かつ、前記クロージャが前記開位置にあるとき、前記制限部材が前記容器ユニットに当接しないように配置されて、それにより、前記容器ユニットが前記ハウジングに対して移動することが可能になり、ある投与量の前記薬剤調製物の投与が可能となるように構成される、前記請求項のいずれか一項に記載の吸入器。
【請求項２９】
前記クロージャが前記閉位置にあるときに、前記容器ユニットに当接させるべく、前記制限部材の前記制限表面を配置するように構成される、請求項５から８および１２のいずれか一項に従属する場合の請求項２８に記載の吸入器。
【請求項３０】
前記制限部材が、前記クロージャが前記閉位置にあるときに、前記容器ユニットの前記アクセサリに当接するように構成される、請求項２９または３０に記載の吸入器。
【請求項３１】
前記ハウジング内に前記容器ユニットを含む、前記請求項のいずれか一項に記載の吸入器。
【請求項３２】
薬剤調製物を含む容器ユニットを中に受けるためのハウジングを含み、前記容器ユニットが相対的に移動することができそれによりユーザによる吸入のためにある投与量の前記薬剤調製物が前記容器ユニットから前記吸入器の投与出口を通じて投与される吸入器と共に使用するためのクロージャであって、
前記クロージャが、前記クロージャが前記投与出口を閉鎖する閉位置と前記投与出口が開いている開位置との間を移動するために吸入器に移動可能に取り付けられるように適合され、
前記クロージャが、制限部材を含む回転可能要素を含み、前記回転可能要素が前記クロージャのその閉位置と開位置との間での移動の軸を中心に回転するように適合され、前記回転可能要素が、前記クロージャがその開位置および閉位置にあるときにそれぞれ第１の位置および第２の位置に配置され、
前記第１の位置が、ある投与賞の前記薬剤製剤の投与のための前記容器ユニットと前記ハウジングとの間の相対的な移動を制限しない非制限位置に制限部材を位置させて、前記第２の位置が、前記投与量の前記薬剤調製物の投与が防止されるようにするために前記容器ユニットと前記ハウジングとの間の相対的な移動を制限する制限位置に前記制限部材を位置させ、
ヒンジが前記回転可能要素と前記クロージャとの間に配置される、
クロージャ。
【請求項３３】
前記クロージャが、前記投与出口を閉鎖するクロージャ部分を有する、請求項３２に記載のクロージャ。
【請求項３４】
前記ヒンジが、前記回転可能要素が前記クロージャ部分内に配置されるのを可能にする、請求項３３に記載のクロージャ。
【請求項３５】
前記制限部材が、制限表面を有し、前記開位置から前記閉位置までのクロージャの移動により、前記回転可能要素を前記第１の位置から前記第２の位置まで回転させ、それにより、前記制限部材をその制限位置まで移動させて、前記制限位置では、前記制限表面が前記ハウジングと前記容器ユニットとの間での相対的な移動を制限する、請求項３２から３４のいずれか一項に記載のクロージャ。
【請求項３６】
前記回転可能要素が中心として回転可能である前記軸が、前記回転可能要素を通っている、請求項３２から３５のいずれか一項に記載のクロージャ。
【請求項３７】
前記回転可能要素が、略「Ｐ」形である、請求項３３から３６のいずれか一項に記載のクロージャ。
【請求項３８】
前記回転可能要素が、中心として回転可能である前記軸が、前記「Ｐ」形の半円形部分を通っている、請求項３７に記載のクロージャ。
【請求項３９】
前記「Ｐ」形の前記半円形表面が、前記制限部材の前記制限表面を形成する、請求項３７に従属した場合の請求項３７または３８に記載のクロージャ。
【請求項４０】
前記回転可能要素および前記クロージャ部分が、任意選択で一体に形成される単一の構成要素に含まれる、請求項３２から３９のいずれか一項に記載のクロージャ。
【請求項４１】
前記回転可能要素が、回転の中心となる吸入器の軸に取り付けるための取付け部を有する、前記請求項のいずれか一項に記載のクロージャ。
【請求項４２】
添付図面の図１から６、図７から１３、または、図１４から２０を参照して本明細書で実質的に説明され、これらの図面に示されている、投与される薬剤調製物を含む容器ユニットと共に使用するための吸入器。
【請求項４３】
添付図面の図１から６、図７から１３、または、図１４から２０を参照して本明細書で実質的に説明され、これらの図面に示されている、吸入器と共に使用するためのクロージャ。
【国際調査報告】
2009507540.tif 000024
2009507540.tif 000025
2009507540.tif 000026
2009507540.tif 000027